(57)【特許請求の範囲】
【請求項１】
底面を開口部に形成した台形ブロックで構成し、前記台形ブロックの一方の側面を内側に向けえぐって凹み部を形成し、該凹み部内に連結用の凸部または凹部のいずれかを円柱状に設け、他側端に前記凸部または凹部に嵌合する凹部または凸部を円柱状に設けたことを特徴とする進路規制部材。
【請求項２】
台形ブロックは、上部を陥没させて凹所を形成した請求項１に記載の進路規制部材。
【請求項３】
底面を開口部に形成し、一方の側面を内側に向けえぐって凹み部を形成し、該凹み部内に連結用の凸部または凹部のいずれかを設け、他側端に前記凸部または凹部に嵌合する凹部または凸部を設けた台形ブロックの複数を縦列に配置し、隣接するものどうしの凸部と凹部を上下方向で嵌合して複数の台形ブロックを順次連結し、バリケードを形成することを特徴とする進路規制装置。
【発明の詳細な説明】
【０００１】
【発明の属する技術分野】
本発明は、高速道路などの料金所の使用ゲート数を変更する場合、道路の工事規制などで車道の幅員を変更する場合や、イベント会場、大駐車場などで自動車や歩行者の進路を規制、案内または誘導するための進路規制部材およびそれを使用した進路規制装置に関するものである。
【０００２】
【従来の技術】
車道の幅員を変更する場合や、イベント会場、大駐車場などで自動車や歩行者の進路を規制、案内または誘導する場合、進行方向付けを行うために従来は、例えば、三角錐形状のカラーコーンの複数個を適宜間隔で縦列に並設し、バリケードとしたり、または、適宜間隔で複数のポールを立設し、このポール間にロープを張設するなどしている。
【０００３】
前記ポールによるバリケードは、安定性を得るために例えばコンクリート製の土台に支柱を立設する場合もある。また、他の例として、断面山形形状の細長のベース部材の上に柵状のフェンスを立設し、このベース部材の複数を連続させ、このベース部材および柵状のフェンスの結合してバリケードとするものもある。
【０００４】
前記先行技術は当業者間で従来から周知のものであり、文献公知発明に係るものではない。
【０００５】
【発明が解決しようとする課題】
カラーコーンを縦列させる方法では、複数のカラーコーンが連結されることなく個別に配置されるため、自動車や人がカラーコーンに接触したり、また風圧などを受けると、カラーコーンが個々に移動し、バリケードとしての機能を果たさなくなるおそれがある。
【０００６】
また、カラーコーンは一般的には工事現場などでも広く使用されるものであるため、これをイベント会場などで使用するには体裁のよいものとはいえず、会場の雰囲気を損なうおそれもある。
【０００７】
ロープを張設する方法は、カラーコーンのように押されたり、風圧を受けても移動しないから、かかる状況下においてもバリケードとしての機能は確保できるが、カラーコーンと同様に体裁のよいものとは言いがたく、また、配設長さを状況に応じてその場で自由に変更することが困難である。
【０００８】
さらに、土台をコンクリート製とする場合は、重量が大きくなって運搬や設置するときの取扱が大変であり、また、ベース部材と柵状のフェンスとの組み合わせによるものは、部材点数が多くなり、組立や運搬に手間を要し、保管スペースもひろいものが必要になる。
【０００９】
本発明の目的は前記従来例の不都合を解消し、バリケードとして配列する長さを現場で自由に調整できて状況に柔軟に対応でき、自動車や人に押されても容易には移動することがなく、バリケードとしての機能を維持でき、また、イベント会場などで使用する場合でも体裁がよく広い範囲での使用が可能であり、さらに、取扱が容易で保管スペースも僅かなもので足りる進路規制部材およびそれを使用した進路規制装置を提供することにある。
【００１０】
【課題を解決するための手段】
本発明は前記目的を達成するため、部材として、第１に、底面を開口部に形成した台形ブロックで構成し、前記台形ブロックの一方の側面を内側に向けえぐって凹み部を形成し、該凹み部内に連結用の凸部または凹部のいずれかを円柱状に設け、他側端に前記凸部または凹部に嵌合する凹部または凸部を円柱状に設けたこと、第２に、台形ブロックは、上部を陥没させて凹所を形成したことを要旨とするものである。
【００１１】
装置として、第３に、底面を開口部に形成し、一方の側面を内側に向けえぐって凹み部を形成し、該凹み部内に連結用の凸部または凹部のいずれかを設け、他側端に前記凸部または凹部に嵌合する凹部または凸部を設けた台形ブロックの複数を縦列に配置し、隣接するものどうしの凸部と凹部を上下方向で嵌合して複数の台形ブロックを順次連結し、バリケードを形成することを要旨とするものである。
【００１２】
請求項１、請求項３記載の本発明によれば、複数の台形ブロックを縦列に配置して、隣接する台形ブロックの一側端に設けた凸部と、他側端に設けた凹部とを連結することで、長尺なバリケードを形成できる。このバリケードは複数の台形ブロックが凸部と凹部の嵌合により結合されているから、押されたり風圧を受けても個々の台形ブロックが移動することなく、バリケードとしての機能を確保できる。また、結合する台形ブロックの数を選択することで、希望の長さのバリケードを現場で自由に設定できる。
【００１３】
また、ブロック単体は台形状に形成したから、積み重ねが可能で、収納保管時のスペースが少なくてすむ。
【００１４】
さらに、台形ブロックの一方の側面を内側に向けえぐって凹み部を形成してあるから、凸部と凹部との嵌合部は、この凹み部の内部に収まり、顕出しない。よって、複数の台形ブロックを連結した場合、外部からは連結部が見えず、体裁のよいものになる。
【００１５】
請求項２記載の本発明によれば、前記作用に加えて、陥没により上部に形成した凹所に、例えば水を注入しここに溜めれば、これがウエイトとなり、台形ブロックの移動を確実に阻止できる。また、プランターをこの凹所に嵌め込むことで植栽にすることもでき、さらに見栄えのよいものにでき、設置場所に応じて美観を伴うバリケードを得ることができる。
【００１６】
【発明の実施の形態】
以下、図面について本発明の実施の形態を詳細に説明する。図１は本発明の進路規制部材の実施形態を示す縦断正面図、図２は同上正面図、図３は同上平面図、図４は同上左側面図、図５は同上右側面図、図６は同上縦断側面図で、図中１は進路規制部材である台形ブロックを示し、材質として例えばプラスチックなどの軽量な合成樹脂を用い、成形により形成する。
【００１７】
この台形ブロック１は、底面を開口部２に形成し、一側端に連結用の凸部３を円柱状に設け、他側端に前記凸部３に嵌合する凹部４を円柱状に設ける。この場合、凸部３、凹部４ともに上方に向けてすぼまるテーパー状に形成し、凸部３の外法が凹部の内法に等しくなるように形成する。
【００１８】
前記凸部３は、台形ブロック１の一方の側面（図示の例では右側面）を高さ方向で内側に向けえぐって凹み部５を形成し、この凹み部５内におさまるように設ける。なお、図示は省略するが、凸部３ではなく凹部４を凹み部５に設けるようにしてもよい。
【００１９】
台形ブロック１の上面部を長さ方向および幅方向にそって陥没させて略直方体形状の凹所６を形成する。この凹所６の深さは、例えば台形ブロック１の高さのほぼ半分程度とする。
【００２０】
図中７は、台形ブロック１の右側面の上部に設けた円形の手掛け孔、８は左側面の上部に設けた細長形状の手掛け孔を示す。
【００２１】
また、台形ブロック１の下部には周縁に鍔部９を突設した。
【００２２】
この台形ブロック１を進路規制部材として、進路規制装置を構成するには、図７に示すように台形ブロック１の複数個を縦列に配置し、隣接するものどうしの凸部３と凹部４を嵌合して複数の台形ブロック１を順次連結する。この場合、凸部３に対して凹部４を上から被せるだけで連結できるから、連結作業は容易であり、この状態で凹部４の内部に下から凸部３が嵌入することになる。そして、嵌合状態では、凸部３が形成されている凹み部５の内部に凹部４も収まることになるから、凸部３と凹部４との嵌合連結部が外部からは見えない。
【００２３】
このようにして設置場所の条件に合致する個数の台形ブロック１を順次連結することで、図８に示すような長尺なバリケード１０を得ることができる。台形ブロック１の使用個数は現場で任意に決定すればよい。
【００２４】
さらに、状況に応じて、図９に示すように台形ブロック１の上部に形成した凹所６の内部にプランター１１を設置すれば、植栽１２とすることが可能であり、美観にも優れたものが得られる。
【００２５】
また、凹所６内に水１３を注入し、ここに溜めることで水１３をウエイトとすることもでき、台形ブロック１が自動車や人に押されたり、風圧を受けても移動することを阻止できる。
【００２６】
台形ブロック１の不使用時には、該台形ブロック１は全体的に上部がすぼまる台形状に形成してあるとともに底部を開口部２に形成してあるから、凸部３と凹部４との結合を解除して、図１０に示すように積み重ねることが可能である。この場合、下部の鍔部９が段部となってこの箇所で上下段のものが積み重なるから、上下段の台形ブロック１の重合の深さを一定に保持でき、使用時に分離しにくくなることもない。また、台形ブロック１はプラスチック製としたから、軽量で取扱いやすい。
【００２７】
【発明の効果】
以上述べたように本発明の進路規制部材およびそれを使用した進路規制装置は、台形ブロックの凸部に凹部を被せるだけで台形ブロックを簡単に連結できてバリケードを容易に形成することができ、しかも、バリケードとして配列する長さを現場で自由に調整できて状況に柔軟に対応できる。また、自動車や人に押されても容易には移動することがなく、バリケードとしての機能を維持でき、さらに、イベント会場などで使用する場合でも体裁がよく広い範囲での使用が可能なものである。さらに軽量であるから運搬などの取扱も容易であり、保管スペースも僅かなもので足りるものである。
【図面の簡単な説明】
【図１】  本発明の進路規制部材の実施形態を示す縦断正面図である。
【図２】  本発明の進路規制部材の実施形態を示す正面図である。
【図３】  本発明の進路規制部材の実施形態を示す平面図である。
【図４】  本発明の進路規制部材の実施形態を示す左側面図である。
【図５】  本発明の進路規制部材の実施形態を示す右側面図である。
【図６】  本発明の進路規制部材の実施形態を示す縦断側面図である。
【図７】  本発明の進路規制装置の実施形態を示す縦断正面図である。
【図８】  本発明の進路規制装置の実施形態を示す正面図である。
【図９】  本発明の進路規制装置の実施形態を示す斜視図である。
【図１０】  本発明の進路規制装置の実施形態を示す積み重ねた状態の正面図である。
【符号の説明】
１…台形ブロック                ２…開口部
３…凸部                        ４…凹部
５…凹み部                      ６…凹所
７…手掛け孔                    ８…手掛け孔
９…鍔部                        １０…バリケード
１１…プランター                １２…植栽
１３…水
【図１】
0003699440.tif 000002
【図２】
0003699440.tif 000003
【図３】
0003699440.tif 000004
【図４】
0003699440.tif 000005
【図５】
0003699440.tif 000006
【図６】
0003699440.tif 000007
【図７】
0003699440.tif 000008
【図８】
0003699440.tif 000009
【図９】
0003699440.tif 000010
【図１０】
0003699440.tif 000011